(57)【要約】【課題】プレビュー表示された画像を修正することが可能な画像処理装置を提供する。【解決手段】複合機は、原稿を読み取る読取部と、読取部により読み取られた原稿の画像Ｐ２をプレビュー表示するタッチパネル１５とを備える。読取部により読み取られた原稿にマークが施されている場合に、タッチパネル１５によりマークが施された原稿の画像Ｐ２がプレビュー表示されるときに、マークと対応する領域Ｒ１〜Ｒ３が編集可能に構成されている。【選択図】図５Ｂ
2013055535.tif 000002
【特許請求の範囲】
【請求項１】
原稿を読み取る読取部と、
前記読取部により読み取られた原稿の画像をプレビュー表示する表示部とを備える画像処理装置であって、
前記読取部により読み取られた原稿にマークが施されている場合に、前記表示部により前記マークが施された原稿の画像がプレビュー表示されるときに、前記マークと対応する領域が編集可能に構成されていること
を特徴とする画像処理装置。
【請求項２】
請求項１に記載の画像処理装置であって、
前記領域は、文字を入力可能に構成されていること
を特徴とする画像処理装置。
【請求項３】
請求項２に記載の画像処理装置であって、
前記領域に入力された文字の前記領域における位置は、予め設定された候補の中から選択可能に構成されていること
を特徴とする画像処理装置。
【請求項４】
請求項２または請求項３に記載の画像処理装置であって、
前記領域に入力された文字の移動量が設定可能に構成されていること
を特徴とする画像処理装置。
【請求項５】
請求項２から請求項４までのいずれか一つに記載の画像処理装置であって、
前記領域に入力された文字の書式が設定可能に構成されていること
を特徴とする画像処理装置。
【請求項６】
請求項２から請求項５までのいずれか一つに記載の画像処理装置であって、
前記領域に入力された文字が改行可能に構成されていること
を特徴とする画像処理装置。
【請求項７】
請求項２から請求項６までのいずれか一つに記載の画像処理装置であって、
前記領域に入力される文字は、予め設定された複数の定型句から選択可能に構成されていること
を特徴とする画像処理装置。
【請求項８】
請求項７に記載の画像処理装置であって、
前記定型句は、条件によって変化する動的な情報を含むこと
を特徴とする画像処理装置。
【請求項９】
請求項２から請求項８までのいずれか一つに記載の画像処理装置であって、
前記読取部により複数の原稿が読み取られる場合に、前記領域に入力された文字を前記マークが施された原稿のみに適用するか、前記領域に入力された文字を前記複数の原稿の全てに適用するかを選択可能に構成されていること
を特徴とする画像処理装置。
【請求項１０】
請求項１から請求項９までのいずれか一つに記載の画像処理装置であって、
前記マークが施された原稿に、前記マークと重なるように情報が記されていた場合に、前記表示部により前記マークが施された原稿の画像がプレビュー表示されるときに、前記情報を消去するか否かを選択可能に構成されていること
を特徴とする画像処理装置。
【請求項１１】
請求項１から請求項１０までのいずれか一つに記載の画像処理装置であって、
前記読取部により読み取られた原稿に複数のマークが施されている場合に、前記表示部により前記複数のマークが施された原稿の画像がプレビュー表示されるときに、前記複数のマークと対応する複数の領域が編集可能に構成されていること
を特徴とする画像処理装置。
【請求項１２】
請求項１から請求項１１までのいずれか一つに記載の画像処理装置であって、
前記表示部によりプレビュー表示された画像を用紙に形成する画像形成部を備えること
を特徴とする画像処理装置。
【発明の詳細な説明】
【技術分野】
【０００１】
本発明は、プレビュー表示機能を備える画像処理装置に関する。
【背景技術】
【０００２】
従来、原稿を読み取る読取部と、読取部により読み取られた原稿の画像をプレビュー表示する表示部と、表示部によりプレビュー表示された画像を用紙に形成する画像形成部とを備える画像形成装置が知られている（たとえば、特許文献１参照）。
【０００３】
特許文献１には、プレビュー表示されたプレビュー画像上でのタッチ位置の軌跡を検知し、その検知された軌跡に沿った線図形を原稿画像の画像データに追記して印刷する画像形成装置が開示されている。この画像形成装置では、線図形を追記することにより、印刷物において強調したい箇所を明確にすることが可能である。
【先行技術文献】
【特許文献】
【０００４】
【特許文献１】特開２０１０−２００２２５号公報
【発明の概要】
【発明が解決しようとする課題】
【０００５】
しかしながら、特許文献１に開示された従来の画像形成装置では、プレビュー表示された画像に対して線図形を追記することが可能であるが、プレビュー表示された画像を修正することができない。これにより、たとえば、読取部により読み取られる原稿自体に軽微な誤記などがあった場合に、その誤記を修正した印刷物を得ることができないという問題点がある。
【０００６】
本発明は、上記の課題を解決するためになされたものであり、プレビュー表示された画像を修正することが可能な画像処理装置を提供することを目的とする。
【課題を解決するための手段】
【０００７】
本発明に係る画像処理装置は、原稿を読み取る読取部と、前記読取部により読み取られた原稿の画像をプレビュー表示する表示部とを備える画像処理装置であって、前記読取部により読み取られた原稿にマークが施されている場合に、前記表示部により前記マークが施された原稿の画像がプレビュー表示されるときに、前記マークと対応する領域が編集可能に構成されていることを特徴とする。
【０００８】
この構成によって、原稿の画像がプレビュー表示されたときに、マークと対応する領域を編集することができるので、プレビュー表示された原稿の画像を修正することができる。また、マークと対応する領域を編集可能にすることにより、原稿の修正箇所を利用者が容易に指定することができる。
【０００９】
本発明に係る画像処理装置では、前記領域は、文字を入力可能に構成されていることを特徴とする。
【００１０】
この構成により、マークと対応する領域に文字を入力することができるので、誤記などを修正することができる。
【００１１】
本発明に係る画像処理装置では、前記領域に入力された文字の前記領域における位置は、予め設定された候補の中から選択可能に構成されていることを特徴とする。
【００１２】
この構成により、文字が配置される位置を選択することができる。
【００１３】
本発明に係る画像処理装置では、前記領域に入力された文字の移動量が設定可能に構成されていることを特徴とする。
【００１４】
この構成により、文字が配置される位置を調整することができる。
【００１５】
本発明に係る画像処理装置では、前記領域に入力された文字の書式が設定可能に構成されていることを特徴とする。なお、書式には、たとえば、フォント（書体）、スタイルおよびサイズが含まれる。
【００１６】
この構成により、文字の書式を設定することができる。
【００１７】
本発明に係る画像処理装置では、前記領域に入力された文字が改行可能に構成されていることを特徴とする。
【００１８】
この構成により、領域に入力される文字列を改行することができる。
【００１９】
本発明に係る画像処理装置では、前記領域に入力される文字は、予め設定された複数の定型句から選択可能に構成されていることを特徴とする。なお、定型句には、たとえば、社外秘、日付およびページ番号が含まれる。
【００２０】
この構成により、文字の入力を簡略化することができる。
【００２１】
本発明に係る画像処理装置では、前記定型句は、条件によって変化する動的な情報を含むことを特徴とする。
【００２２】
この構成により、たとえば、日付などの条件によって変化する情報の入力を簡略化することができる。
【００２３】
本発明に係る画像処理装置では、前記読取部により複数の原稿が読み取られる場合に、前記領域に入力された文字を前記マークが施された原稿のみに適用するか、前記領域に入力された文字を前記複数の原稿の全てに適用するかを選択可能に構成されていることを特徴とする。
【００２４】
この構成により、１枚の原稿にマークを施すことにより、複数の原稿に対して編集することができる。
【００２５】
本発明に係る画像処理装置では、前記マークが施された原稿に、前記マークと重なるように情報が記されていた場合に、前記表示部により前記マークが施された原稿の画像がプレビュー表示されるときに、前記情報を消去するか否かを選択可能に構成されていることを特徴とする。
【００２６】
この構成により、マークと重なるように記された情報をプレビュー表示時に消去するか否かを選択することができる。
【００２７】
本発明に係る画像処理装置では、前記読取部により読み取られた原稿に複数のマークが施されている場合に、前記表示部により前記複数のマークが施された原稿の画像がプレビュー表示されるときに、前記複数のマークと対応する複数の領域が編集可能に構成されていることを特徴とする。
【００２８】
この構成により、プレビュー表示された原稿の画像の複数箇所を修正することができる。
【００２９】
本発明に係る画像処理装置では、前記表示部によりプレビュー表示された画像を用紙に形成する画像形成部を備えることを特徴とする。
【００３０】
この構成により、プレビュー表示時に編集された印刷物を得ることができる。
【発明の効果】
【００３１】
本発明に係る画像処理装置によれば、プレビュー表示された画像を修正することができる。
【図面の簡単な説明】
【００３２】
【図１】本発明の実施の形態に係る複合機が設けられたネットワークシステムの構成を示したブロック図である。
【図２】図１の複合機の構成を示したブロック図である。
【図３】図２の複合機に設けられた操作パネルを示した平面図である。
【図４Ａ】図２の複合機の読取部により読み取られる原稿の一例を示した図である。
【図４Ｂ】図４Ａの原稿にマークが施された状態を示した図である。
【図５Ａ】図４Ａの原稿がプレビュー表示された状態を示した図である。
【図５Ｂ】図４Ｂの原稿がプレビュー表示された状態を示した図である。
【図６Ａ】図２の複合機のコピーモード時の動作を説明するためのフローチャートである。
【図６Ｂ】図２の複合機のコピーモード時の動作を説明するためのフローチャートである。
【図７】図２の複合機におけるコピーモード時のタッチパネルの表示例を示した図である。
【図８】図２の複合機においてプレビュー表示時に編集された印刷物の一例を示した図である。
【図９Ａ】図２の複合機においてマーク検出機能がオンのときにおけるプレビュー表示時の動作を説明するためのフローチャートである。
【図９Ｂ】図２の複合機においてマーク検出機能がオンのときにおけるプレビュー表示時の動作を説明するためのフローチャートである。
【図１０Ａ】図２の複合機においてマーク検出機能がオンのときにおけるプレビュー表示時に編集画面が表示された状態を示した図である。
【図１０Ｂ】図２の複合機においてマーク検出機能がオンのときにおけるプレビュー表示時に定型入力画面が表示された状態を示した図である。
【図１０Ｃ】図２の複合機においてマーク検出機能がオンのときにおけるプレビュー表示時に書式設定画面が表示された状態を示した図である。
【図１０Ｄ】図２の複合機においてマーク検出機能がオンのときにおけるプレビュー表示時に位置設定画面が表示された状態を示した図である。
【図１０Ｅ】図２の複合機においてマーク検出機能がオンのときにおけるプレビュー表示時に設定画面が表示された状態を示した図である。
【発明を実施するための形態】
【００３３】
以下、本発明の実施の形態について図面を参照して説明する。なお、本実施の形態では、画像処理装置の一例である複合機に本発明を適用した場合について説明する。
【００３４】
図１は、本発明の実施の形態に係る複合機が設けられたネットワークシステムの構成を示したブロック図である。図１を参照して、本実施の形態に係る複合機１が設けられたネットワークシステム１００について説明する。
【００３５】
ネットワークシステム１００は、複合機１と、パーソナルコンピュータ（以下、「ＰＣ」という）２および３と、ファクシミリ装置４および５とを備えている。
【００３６】
複合機１は、たとえば、原稿を読み取るスキャナ機能、用紙に画像を形成するプリンタ機能、画像データを送受信するファクシミリ機能、および、画像データを保存するファイリング機能などを有する。
【００３７】
複合機１には、ＬＡＮ（Local Area Network）６を介してＰＣ２が接続されている。複合機１は、ＬＡＮ６を介してＰＣ２と画像データをやり取りするように構成されている。なお、ＬＡＮ６に接続されるＰＣ２は、複数設けられていてもよい。
【００３８】
複合機１には、ＬＡＮ６およびインターネット７を介してＰＣ３が接続され、ＬＡＮ６およびインターネット７を介してファクシミリ装置４が接続されている。複合機１は、ＬＡＮ６およびインターネット７を介してＰＣ３と画像データをやり取りし、ＬＡＮ６およびインターネット７を介してファクシミリ装置４と画像データをやり取りするように構成されている。なお、インターネット７に接続されるＰＣ３およびファクシミリ装置４は、複数設けられていてもよい。
【００３９】
複合機１には、電話回線８を介してファクシミリ装置５が接続されている。複合機１は、電話回線８を介してファクシミリ装置５と画像データをやり取りするように構成されている。なお、電話回線８に接続されるファクシミリ装置５は、複数設けられていてもよい。
【００４０】
図２は、図１の複合機の構成を示したブロック図である。図３は、図２の複合機に設けられた操作パネルを示した平面図である。図４Ａは、図２の複合機の読取部により読み取られる原稿の一例を示した図であり、図４Ｂは、図４Ａの原稿にマークが施された状態を示した図である。図５Ａは、図４Ａの原稿がプレビュー表示された状態を示した図であり、図５Ｂは、図４Ｂの原稿がプレビュー表示された状態を示した図である。図２〜図５Ｂを参照して、本実施の形態に係る複合機１の構成について説明する。
【００４１】
複合機１は、図２に示すように、読取部１１と、画像処理部１２と、画像記憶部１３と、画像形成部１４と、タッチパネル１５と、キー操作部１６と、表示制御部１７と、ＵＳＢ（Universal Serial Bus）ポート１８と、通信部１９および２０と、制御部２１とを備えている。
【００４２】
読取部１１は、たとえば、ＣＣＤ（Charge Coupled Device）を含んでおり、原稿の画像を読み取り、その読み取った画像データを画像処理部１２に出力する機能を有する。
【００４３】
画像処理部１２は、ＡＳＩＣ（Application Specific Integrated Circuit）を含んでおり、読取部１１により読み取られた画像データなどに対して処理を施すために設けられている。たとえば、画像処理部１２は、画像データを符号化および復号化する機能を有する。また、画像処理部１２は、画像データのファイル形式を変換する機能を有する。
【００４４】
画像記憶部１３は、たとえば、ハードディスクであり、画像処理部１２により処理された画像データなどを記憶するために設けられている。
【００４５】
画像形成部１４は、たとえば、ＬＳＵ（Laser Scanning Unit）を含んでおり、画像記憶部１３に記憶された画像データなどに基づいて用紙に画像を形成するように構成されている。
【００４６】
タッチパネル１５は、操作パネル２２（図３参照）に設けられており、表示部１５ａと、表示部１５ａの前面に配置されたタッチセンサ１５ｂとを含んでいる。表示部１５ａは、たとえば、液晶ディスプレイであり、複合機１の動作状態などを表示する機能を有する。タッチセンサ１５ｂは、利用者からの操作指令を受け付ける受付部として機能する。
【００４７】
キー操作部１６は、操作パネル２２に設けられている。キー操作部１６は、図３に示すように、スタートキー１６ａと、数字キー１６ｂと、クリアキー１６ｃと、全解除キー１６ｄと、モード選択キー１６ｅ〜１６ｇと、ユーザ設定キー１６ｈとを有する。
【００４８】
スタートキー１６ａは、原稿のコピー開始やファクシミリの送信開始などを受け付けるために設けられている。数字キー１６ｂは、コピー枚数やファクシミリ番号などを受け付けるために設けられている。クリアキー１６ｃは、入力された設定値の消去などを受け付けるために設けられている。全解除キー１６ｄは、設定を初期状態に戻す指示などを受け付けるために設けられている。
【００４９】
モード選択キー１６ｅは、複合機１をプリンタモードにするために設けられている。モード選択キー１６ｆは、複合機１をファクシミリモードにするために設けられている。モード選択キー１６ｇは、複合機１をコピーモードにするために設けられている。ユーザ設定キー１６ｈは、利用者からのシステム設定を受け付けるために設けられている。
【００５０】
表示制御部１７は、図２に示すように、タッチパネル１５の表示部１５ａの表示を制御する機能を有する。ＵＳＢポート１８は、複合機１にＵＳＢメモリ（図示省略）などを接続するために設けられている。そして、複合機１は、画像記憶部１３に記憶された画像データをＵＳＢポート１８を介してＵＳＢメモリに書き込んだり、ＵＳＢメモリに記憶された画像データをＵＳＢポート１８を介して読み出したりすることが可能なように構成されている。
【００５１】
通信部１９は、ＬＡＮ６（図１参照）に接続されており、ＰＣ２および３（図１参照）や、ファクシミリ装置４（図１参照）と複合機１が通信するために設けられている。通信部２０は、電話回線８（図１参照）に接続されており、複合機１がファクシミリ装置５（図１参照）と通信するために設けられている。
【００５２】
制御部２１は、ＣＰＵ（Central Processing Unit）、ＲＯＭ（Read Only Memory）およびＲＡＭ（Random Access Memory）などを含み、複合機１の動作を制御するために設けられている。
【００５３】
ここで、複合機１は、読取部１１により原稿５０（図４Ａ参照）が読み取られた場合に、原稿５０の画像Ｐ１（図５Ａ参照）をタッチパネル１５にプレビュー表示することが可能なように構成されている。なお、図４Ａの例では、原稿５０は、３枚の原稿５０ａ〜５０ｃにより構成されている。そして、読取部１１により連続的に読み取られた原稿５０ａ〜５０ｃの画像は、プレビュー表示画面Ｗ１において切り替えて表示することが可能である。
【００５４】
また、複合機１は、原稿５０に対してマークＭ１〜Ｍ３が施された原稿５５（図４Ｂ参照）が読取部１１により読み取られた場合に、原稿５５の画像Ｐ２（図５Ｂ参照）をタッチパネル１５にプレビュー表示することが可能なように構成されている。なお、図４Ｂの例では、原稿５５は、３枚の原稿５５ａ〜５５ｃにより構成されており、原稿５５ａのみにマークＭ１〜Ｍ３が施されている。そして、読取部１１により連続的に読み取られた原稿５５ａ〜５５ｃの画像は、プレビュー表示画面Ｗ２において切り替えて表示することが可能である。
【００５５】
そして、複合機１は、マークＭ１〜Ｍ３が施された原稿５５の画像Ｐ２がプレビュー表示されるときに、マークＭ１〜Ｍ３と対応する領域Ｒ１〜Ｒ３を編集することが可能に構成されている。すなわち、利用者は、原稿の編集（修正）したい箇所をマークすることにより、プレビュー表示時にその編集したい箇所を編集することが可能である。なお、マークは、原稿に既に記されていた情報（たとえば、文字など）とは識別可能に施される。たとえば、マークは、白色の用紙に黒色で情報が記された原稿に対して、蛍光ペンを用いて施される。
【００５６】
図６Ａおよび図６Ｂは、図２の複合機のコピーモード時の動作を説明するためのフローチャートである。図７は、図２の複合機におけるコピーモード時のタッチパネルの表示例を示した図である。図８は、図２の複合機においてプレビュー表示時に編集された印刷物の一例を示した図である。図６Ａ〜図８を参照して、複合機１のコピーモード時の動作について説明する。なお、この複合機１では、操作パネル２２（図３参照）に設けられたモード選択キー１６ｇが利用者により押されることによってコピーモードに設定される。また、コピーモード時には、以下の動作が繰り返し行われる。
【００５７】
まず、図６ＡのステップＳ１において、制御部２１（図２参照）により、プレビュー確認ボタン３１（図７参照）が押されたか否かが判断される。すなわち、タッチパネル１５のタッチセンサ１５ｂ（図２参照）により、プレビュー確認ボタン３１と対応する領域が利用者によりタッチされたか否かが判断される。なお、このプレビュー確認ボタン３１は、複合機１がコピーモードに設定された場合に、タッチパネル１５に表示される。そして、プレビュー確認ボタン３１が押されたと判断された場合には、ステップＳ２に移る。その一方、プレビュー確認ボタン３１が押されていないと判断された場合には、ステップＳ３に移る。
【００５８】
次に、ステップＳ２において、制御部２１により、プレビュー機能のオン／オフが切り替えられる。すなわち、プレビュー機能がオフのときに、プレビュー確認ボタン３１が押された場合には、プレビュー機能がオンにされ、プレビュー機能がオンのときに、プレビュー確認ボタン３１が押された場合には、プレビュー機能がオフにされる。
【００５９】
なお、タッチパネル１５に表示されるプレビュー確認ボタン３１は、プレビュー機能のオン／オフ状態を利用者が判別可能であることが好ましい。このため、プレビュー機能のオン／オフが切り替えられる際に、表示制御部１７（図２参照）によりプレビュー確認ボタン３１の表示を変化させるようにしてもよい。
【００６０】
次に、ステップＳ３において、制御部２１により、マーク検出ボタン３２（図７参照）が押されたか否かが判断される。すなわち、タッチパネル１５のタッチセンサ１５ｂにより、マーク検出ボタン３２と対応する領域が利用者によりタッチされたか否かが判断される。なお、このマーク検出ボタン３２は、複合機１がコピーモードに設定された場合に、タッチパネル１５に表示される。そして、マーク検出ボタン３２が押されたと判断された場合には、ステップＳ４に移る。その一方、マーク検出ボタン３２が押されていないと判断された場合には、ステップＳ５に移る。
【００６１】
次に、ステップＳ４において、制御部２１により、マーク検出機能のオン／オフが切り替えられる。すなわち、マーク検出機能がオフのときに、マーク検出ボタン３２が押された場合には、マーク検出機能がオンにされ、マーク検出機能がオンのときに、マーク検出ボタン３２が押された場合には、マーク検出機能がオフにされる。なお、プレビュー機能がオフのときに、マーク検出機能がオンにされた場合には、マーク検出機能とともにプレビュー機能もオンにするようにしてもよい。
【００６２】
なお、タッチパネル１５に表示されるマーク検出ボタン３２は、マーク検出機能のオン／オフ状態を利用者が判別可能であることが好ましい。このため、マーク検出機能のオン／オフが切り替えられる際に、表示制御部１７によりマーク検出ボタン３２の表示を変化させるようにしてもよい。
【００６３】
次に、ステップＳ５において、制御部２１により、操作パネル２２に設けられたスタートキー１６ａ（図３参照）が押されたか否かが判断される。そして、スタートキー１６ａが押されたと判断された場合には、ステップＳ６に移る。その一方、スタートキー１６ａが押されていないと判断された場合には、ステップＳ１に戻る。
【００６４】
次に、ステップＳ６において、制御部２１により、プレビュー機能がオンであるか否かが判断される。そして、プレビュー機能がオンであると判断された場合には、ステップＳ７に移る。その一方、プレビュー機能がオフである（オンではない）と判断された場合には、ステップＳ１４に移る。
【００６５】
次に、ステップＳ７において、制御部２１により、マーク検出機能がオンであるか否かが判断される。そして、マーク検出機能がオンであると判断された場合には、ステップＳ８に移る。その一方、マーク検出機能がオフである（オンではない）と判断された場合には、図６ＢのステップＳ１６に移る。
【００６６】
次に、ステップＳ８において、読取部１１（図２参照）により、原稿の読み取りが行われる。そして、その原稿の画像データが画像処理部１２（図２参照）に供給され、画像処理部１２により原稿の画像データに対して所定の処理が施される。
【００６７】
次に、ステップＳ９において、画像処理部１２により、原稿の画像データからマークが検出される。これにより、原稿における編集箇所が判断される。たとえば、ステップＳ８で原稿５５（図４Ｂ参照）が読み取られていた場合には、原稿５５の画像データからマークＭ１〜Ｍ３が検出されることにより、原稿５５における編集箇所が判断される。
【００６８】
次に、ステップＳ１０において、表示制御部１７により、読み取られた原稿の画像がタッチパネル１５にプレビュー表示される。たとえば、原稿５５が読み取られていた場合には、タッチパネル１５にプレビュー表示画面Ｗ２（図５Ｂ参照）が表示される。プレビュー表示画面Ｗ２には、原稿５５の画像Ｐ２と、コピー実行ボタン３３と、コピー中止ボタン３４とが表示される。この画像Ｐ２には、マークＭ１〜Ｍ３と対応する領域Ｒ１〜Ｒ３が含まれており、領域Ｒ１〜Ｒ３を利用者が編集することが可能である。なお、このプレビュー表示時の動作については後で詳細に説明する。
【００６９】
次に、図６ＢのステップＳ１１において、制御部２１により、コピーの中止指示を受け付けたか否かが判断される。具体的には、タッチパネル１５のタッチセンサ１５ｂにより、コピー中止ボタン３４（図５Ｂ参照）と対応する領域が利用者によりタッチされたか否かが判断される。そして、コピー中止ボタン３４と対応する領域がタッチされていないと判断された場合には、ステップＳ１２に移る。その一方、コピー中止ボタン３４と対応する領域がタッチされたと判断された場合には、コピーが中止されることにより、プレビュー表示時に編集された画像が印刷されることなく、一連の動作が終了される。
【００７０】
次に、ステップＳ１２において、制御部２１により、コピーの実行指示を受け付けたか否かが判断される。具体的には、タッチパネル１５のタッチセンサ１５ｂにより、コピー実行ボタン３３（図５Ｂ参照）と対応する領域が利用者によりタッチされたか否かが判断される。そして、コピー実行ボタン３３と対応する領域がタッチされたと判断された場合には、ステップＳ１３に移る。その一方、コピー実行ボタン３３と対応する領域がタッチされていないと判断された場合には、ステップＳ１１に戻る。
【００７１】
次に、ステップＳ１３において、画像形成部１４（図２参照）により、プレビュー表示時に編集された画像が用紙に形成されることによって印刷物が作成される。たとえば、図５Ｂに示すプレビュー表示画面Ｗ２において、領域Ｒ１に「△月△日」が入力され、領域Ｒ２に「○○  ○○」が入力され、領域Ｒ３に後述する定型句のページ番号が入力され、領域Ｒ３の設定を他の原稿にも適用する場合には、図８に示すような印刷物６０が作成される。この印刷物６０は、３枚の印刷物６０ａ〜６０ｃにより構成されている。１枚目の印刷物６０ａには、領域Ｒ１と対応する箇所に「△月△日」が印刷され、領域Ｒ２と対応する箇所に「○○  ○○」が印刷され、領域Ｒ３と対応する箇所に「１」が印刷される。そして、２枚目の印刷物６０ｂには、領域Ｒ３と対応する箇所に「２」が印刷され、３枚目の印刷物６０ｃには、領域Ｒ３と対応する箇所に「３」が印刷される。なお、原稿５５のマークＭ１〜Ｍ３自体は印刷されない。以上により、一連の動作が終了される。
【００７２】
また、プレビュー機能がオフであると判断された場合（ステップＳ６：Ｎｏ）には、図６ＡのステップＳ１４において、読取部１１により、原稿の読み取りが行われる。そして、その原稿の画像データが画像処理部１２に供給され、画像処理部１２により原稿の画像データに対して所定の処理が施される。
【００７３】
そして、ステップＳ１５において、画像形成部１４により、読取部１１により読み取られた原稿の画像が用紙に形成されることによって印刷物が作成される。たとえば、ステップＳ１４で原稿５０（図４Ａ参照）が読み取られていた場合には、その原稿５０の画像が用紙に形成される。以上により、一連の動作が終了される。
【００７４】
また、マーク検出機能がオフであると判断された場合（ステップＳ７：Ｎｏ）には、図６ＢのステップＳ１６において、読取部１１により、原稿の読み取りが行われる。そして、その原稿の画像データが画像処理部１２に供給され、画像処理部１２により原稿の画像データに対して所定の処理が施される。
【００７５】
そして、ステップＳ１７において、表示制御部１７により、読み取られた原稿の画像がタッチパネル１５にプレビュー表示される。たとえば、ステップＳ１６で原稿５０が読み取られていた場合には、タッチパネル１５にプレビュー表示画面Ｗ１（図５Ａ参照）が表示される。プレビュー表示画面Ｗ１には、原稿５０の画像Ｐ１と、コピー実行ボタン３３と、コピー中止ボタン３４とが表示される。なお、プレビュー表示画面Ｗ１では、プレビュー表示画面Ｗ２と異なり、画像Ｐ１に領域Ｒ１〜Ｒ３が表示されず、画像Ｐ１を編集することができない。
【００７６】
次に、ステップＳ１８において、制御部２１により、コピーの中止指示を受け付けたか否かが判断される。具体的には、タッチパネル１５のタッチセンサ１５ｂにより、コピー中止ボタン３４（図５Ａ参照）と対応する領域が利用者によりタッチされたか否かが判断される。そして、コピー中止ボタン３４と対応する領域がタッチされていないと判断された場合には、ステップＳ１９に移る。その一方、コピー中止ボタン３４と対応する領域がタッチされたと判断された場合には、コピーが中止されることにより、プレビュー表示された原稿の画像が印刷されることなく、一連の動作が終了される。
【００７７】
次に、ステップＳ１９において、制御部２１により、コピーの実行指示を受け付けたか否かが判断される。具体的には、タッチパネル１５のタッチセンサ１５ｂにより、コピー実行ボタン３３（図５Ａ参照）と対応する領域が利用者によりタッチされたか否かが判断される。そして、コピー実行ボタン３３と対応する領域がタッチされたと判断された場合には、ステップＳ２０に移る。その一方、コピー実行ボタン３３と対応する領域がタッチされていないと判断された場合には、ステップＳ１８に戻る。
【００７８】
次に、ステップＳ２０において、画像形成部１４により、プレビュー表示された原稿の画像が用紙に形成されることによって印刷物が作成される。たとえば、原稿５０の画像Ｐ１がプレビュー表示されていた場合には、その画像Ｐ１が用紙に形成される。以上により、一連の動作が終了される。
【００７９】
図９Ａおよび図９Ｂは、図２の複合機においてマーク検出機能がオンのときにおけるプレビュー表示時の動作を説明するためのフローチャートである。図１０Ａ〜図１０Ｅは、図２の複合機においてマーク検出機能がオンのときにおけるプレビュー表示時の表示画面を示した図である。図９Ａ〜図１０Ｅを参照して、複合機１においてマーク検出機能がオンのときにおけるプレビュー表示時の動作について説明する。
【００８０】
まず、図９ＡのステップＳ３１において、制御部２１により、プレビュー表示された画像のマークと対応する領域が選択されたか否かが判断される。具体的には、タッチパネル１５のタッチセンサ１５ｂにより、マークと対応する領域が利用者によりタッチされたか否かが判断される。そして、マークと対応する領域が選択されていないと判断された場合には、リターンに移る。すなわち、複合機１は、プレビュー表示されている場合に、マークと対応する領域が選択されるまで待機する。そして、マークと対応する領域が選択されたと判断された場合には、ステップＳ３２に移る。
【００８１】
次に、ステップＳ３２において、表示制御部１７により、選択された領域を編集するための編集画面Ｅ１（図１０Ａ参照）がタッチパネル１５に表示される。この編集画面Ｅ１は、選択された領域に対して利用者が所望の編集内容を入力するために表示される。
【００８２】
たとえば、タッチパネル１５にプレビュー表示画面Ｗ２が表示されているときに、領域Ｒ１〜Ｒ３（図５Ｂ参照）のうちのいずれかが選択された場合には、図１０Ａに示すように、タッチパネル１５に編集画面Ｅ１が表示される。この編集画面Ｅ１には、ソフトウェアキーボード４１と、入力内容が表示される表示欄４２と、定型ボタン４３と、書式ボタン４４と、位置ボタン４５と、設定ボタン４６と、編集中止ボタン４７と、編集完了ボタン４８とが表示される。
【００８３】
次に、ステップＳ３３において、制御部２１により、ソフトウェアキーボード４１（図１０Ａ参照）が利用者により操作されたか否かが判断される。そして、ソフトウェアキーボード４１が操作されたと判断された場合には、ステップＳ３４に移る。その一方、ソフトウェアキーボード４１が操作されていないと判断された場合には、ステップＳ３５に移る。
【００８４】
次に、ステップＳ３４において、表示制御部１７により、ソフトウェアキーボード４１を用いて入力された文字などが表示欄４２に表示される。すなわち、ソフトウェアキーボード４１は、選択された領域に利用者が所望の文字などを入力するために設けられ、表示欄４２は、利用者が入力内容を確認するために設けられている。
【００８５】
次に、ステップＳ３５において、制御部２１により、定型ボタン４３（図１０Ａ参照）が押されたか否かが判断される。具体的には、タッチパネル１５のタッチセンサ１５ｂにより、定型ボタン４３と対応する領域が利用者によりタッチされたか否かが判断される。そして、定型ボタン４３が押されたと判断された場合には、ステップＳ３６に移る。その一方、定型ボタン４３が押されていないと判断された場合には、ステップＳ３７に移る。
【００８６】
次に、ステップＳ３６において、表示制御部１７により、定型入力画面Ｅ２（図１０Ｂ参照）がタッチパネル１５に表示される。この定型入力画面Ｅ２は、予め設定された複数の定型句の中から利用者により選択された定型句を選択された領域に入力するための画面である。定型句は、変化しない静的な情報（たとえば、「社外秘」などの文字列そのもの）と、条件によって変化する動的な情報（たとえば、日付やページ番号など）とを含んでいる。図１０Ｂの定型入力画面Ｅ２には、定型句として、「社外秘」、「日付」および「ページ番号」が表示される。
【００８７】
そして、たとえば、「社外秘」が選択された場合には、「社外秘」の文字列そのものが選択された領域に入力され、編集画面Ｅ１に戻る。また、「日付」が選択された場合には、プレビュー表示している日付が選択された領域に入力され、編集画面Ｅ１に戻る。また、「ページ番号」が選択された場合には、プレビュー表示されている原稿の読み取られた順番（たとえば、１枚目の原稿であれば１）が選択された領域に入力され、編集画面Ｅ１に戻る。なお、「キャンセル」が選択された場合には、定型句が選択された領域に入力されることなく、編集画面Ｅ１に戻る。
【００８８】
次に、ステップＳ３７において、制御部２１により、書式ボタン４４（図１０Ａ参照）が押されたか否かが判断される。具体的には、タッチパネル１５のタッチセンサ１５ｂにより、書式ボタン４４と対応する領域が利用者によりタッチされたか否かが判断される。そして、書式ボタン４４が押されたと判断された場合には、ステップＳ３８に移る。その一方、書式ボタン４４が押されていないと判断された場合には、ステップＳ３９に移る。
【００８９】
次に、ステップＳ３８において、表示制御部１７により、書式設定画面Ｅ３（図１０Ｃ参照）がタッチパネル１５に表示される。この書式設定画面Ｅ３は、選択された領域に入力された文字などの書式を利用者が設定するための画面である。図１０Ｃの書式設定画面Ｅ３には、書式として、「フォント」（書体）、「スタイル」および「サイズ」が表示されており、利用者がタッチパネル１５を操作することにより書式の各項目が設定される。なお、フォントの項目には、たとえば、ゴシックおよび明朝体などが含まれ、スタイルの項目には、たとえば、標準および斜体などが含まれている。そして、「ＯＫ」がタッチされた場合には、書式の変更が反映され、編集画面Ｅ１に戻る。また、「キャンセル」がタッチされた場合には、書式の変更が反映されることなく、編集画面Ｅ１に戻る。
【００９０】
次に、ステップＳ３９において、制御部２１により、位置ボタン４５（図１０Ａ参照）が押されたか否かが判断される。具体的には、タッチパネル１５のタッチセンサ１５ｂにより、位置ボタン４５と対応する領域が利用者によりタッチされたか否かが判断される。そして、位置ボタン４５が押されたと判断された場合には、ステップＳ４０に移る。その一方、位置ボタン４５が押されていないと判断された場合には、図９ＢのステップＳ４１に移る。
【００９１】
次に、ステップＳ４０において、表示制御部１７により、位置設定画面Ｅ４（図１０Ｄ参照）がタッチパネル１５に表示される。この位置設定画面Ｅ４は、選択された領域に対する入力された文字などの位置を利用者が設定するための画面である。図１０Ｄの位置設定画面Ｅ４には項目４５ａ〜４５ｄが表示されており、利用者が項目４５ａ〜４５ｄを設定することにより文字などの位置が設定される。
【００９２】
項目４５ａは、選択された領域に対する入力された文字などの横方向における配置を設定するための項目である。項目４５ａでは、たとえば、左詰め、中央、右詰めなどの予め設定された候補の中からいずれかを選択することが可能なように構成されている。
【００９３】
項目４５ｂは、選択された領域に対する入力された文字などの縦方向における配置を設定するための項目である。項目４５ｂでは、たとえば、下詰め、中央、上詰めなどの予め設定された候補の中からいずれかを選択することが可能なように構成されている。
【００９４】
項目４５ｃは、項目４５ａの設定に応じて配置された文字などの横方向への移動量を設定するための項目である。すなわち、項目４５ｃは、文字などの横方向の位置を調整するために設けられている。
【００９５】
項目４５ｄは、項目４５ｂの設定に応じて配置された文字などの縦方向への移動量を設定するための項目である。すなわち、項目４５ｄは、文字などの縦方向の位置を調整するために設けられている。
【００９６】
そして、「ＯＫ」がタッチされた場合には、位置の変更が反映され、編集画面Ｅ１に戻る。また、「キャンセル」がタッチされた場合には、位置の変更が反映されることなく、編集画面Ｅ１に戻る。
【００９７】
次に、図９ＢのステップＳ４１において、制御部２１により、設定ボタン４６（図１０Ａ参照）が押されたか否かが判断される。具体的には、タッチパネル１５のタッチセンサ１５ｂにより、設定ボタン４６と対応する領域が利用者によりタッチされたか否かが判断される。そして、設定ボタン４６が押されたと判断された場合には、ステップＳ４２に移る。その一方、設定ボタン４６が押されていないと判断された場合には、ステップＳ４３に移る。
【００９８】
次に、ステップＳ４２において、表示制御部１７により、設定画面Ｅ５（図１０Ｅ参照）がタッチパネル１５に表示される。この設定画面Ｅ５は、選択された領域に入力された文字などについての各種設定をするための画面である。図１０Ｅの設定画面Ｅ５には項目４６ａ〜４６ｃが表示されており、利用者が項目４６ａ〜４６ｃを設定することが可能である。
【００９９】
項目４６ａは、原稿に施されたマークと重なるように、原稿に情報（たとえば、文字など）が記されていた場合に、その情報を消去するか否かを設定するための項目である。すなわち、項目４６ａは、マークと対応する領域の元画像（背景）を消去するか否かを設定するための項目である。したがって、項目４６ａがオンに設定されている場合には、選択された領域に記されていた情報が消去されることにより、その情報がプレビュー表示されず、かつ、上記した画像形成時に印刷されない。一方、項目４６ａがオフに設定されている場合には、選択された領域に記されていた情報が消去されないことにより、その情報がプレビュー表示され、かつ、上記した画像形成時に入力された文字などとともに印刷される。
【０１００】
項目４６ｂは、入力される文字列が選択された領域の範囲（横幅）を越えてしまうと制御部２１により判断される場合に、文字列の途中で改行を挿入するか否かを設定するための項目である。したがって、項目４６ｂがオンに設定されている場合には、入力される文字列が選択された領域の範囲を越えると、文字列の途中で改行が挿入される。一方、項目４６ｂがオフに設定されている場合には、入力される文字列が選択された領域の範囲を越えても、文字列が改行されることなく一列に配置される。
【０１０１】
項目４６ｃは、選択された領域に入力された内容（文字など）を、マークが施された原稿だけでなく、連続的に読み取られた原稿の全てに適用するか否かを設定するための項目である。すなわち、項目４６ｃは、入力された内容をマークが施された原稿のみに適用するか、入力された内容を全ての原稿に適用するかを設定するための項目である。したがって、項目４６ｃがオフに設定されている場合には、選択された領域に入力された内容は、マークが施された原稿の画像形成時（コピー時）のみに適用される。一方、項目４６ｃがオンに設定され、複数の原稿が連続的に読み取られている場合には、選択された領域に入力された内容は、マークが施された原稿の画像形成時に適用されるとともに、マークが施されていない原稿の画像形成時にも適用される。
【０１０２】
そして、「ＯＫ」がタッチされた場合には、各設定の変更が反映され、編集画面Ｅ１に戻る。また、「キャンセル」がタッチされた場合には、各設定の変更が反映されることなく、編集画面Ｅ１に戻る。
【０１０３】
次に、ステップＳ４３において、制御部２１により、編集中止ボタン４７（図１０Ａ参照）が押されたか否かが判断される。具体的には、タッチパネル１５のタッチセンサ１５ｂにより、編集中止ボタン４７と対応する領域が利用者によりタッチされたか否かが判断される。そして、編集中止ボタン４７が押されていないと判断された場合には、ステップＳ４４に移る。その一方、編集中止ボタン４７が押されたと判断された場合には、編集内容を破棄して、ステップＳ４６に移る。
【０１０４】
次に、ステップＳ４４において、制御部２１により、編集完了ボタン４８（図１０Ａ参照）が押されたか否かが判断される。具体的には、タッチパネル１５のタッチセンサ１５ｂにより、編集完了ボタン４８と対応する領域が利用者によりタッチされたか否かが判断される。そして、編集完了ボタン４８が押されたと判断された場合には、ステップＳ４５に移る。その一方、編集完了ボタン４８が押されていないと判断された場合には、図９ＡのステップＳ３３に戻る。
【０１０５】
次に、ステップＳ４５において、制御部２１により、選択された領域に対する編集内容が確定され、その編集内容が記憶される。なお、編集内容は、画像記憶部１３に記憶されてもよいし、制御部２１に記憶されていてもよい。
【０１０６】
次に、ステップＳ４６において、表示制御部１７により、タッチパネル１５から編集画面Ｅ１が消去され、一連の動作（選択された領域に対する編集動作）が終了される。
【０１０７】
ここで、たとえば、図５Ｂに示す原稿５５を用いて、図８に示す印刷物６０を得たい場合には、プレビュー表示画面Ｗ２において、領域Ｒ１に「△月△日」が入力され、領域Ｒ２に「○○  ○○」が入力され、領域Ｒ３に定型句の「ページ番号」が入力される。そして、マークＭ１と重なる元画像（×月×日）を消去するために、領域Ｒ１の項目４６ａがオンに設定される。また、ページ番号を印刷物６０ａ〜６０ｃに印刷するために、領域Ｒ３の項目４６ｃがオンに設定される。
【０１０８】
なお、マークＭ２およびＭ３と重なる画像はないので、領域Ｒ２およびＲ３の項目４６ａはオンであってもよいしオフであってもよい。また、領域Ｒ１の「△月△日」が印刷物６０ｂおよび６０ｃに印刷されないように、領域Ｒ１の項目４６ｃがオフに設定され、領域Ｒ２の「○○  ○○」が印刷物６０ｂおよび６０ｃに印刷されないように、領域Ｒ２の項目４６ｃがオフに設定される。
【０１０９】
本実施の形態では、上記のように、プレビュー表示画面において、原稿に施されたマークと対応する領域を編集可能に構成することによって、プレビュー表示された原稿の画像を修正することができるとともに、原稿の修正箇所を利用者が容易に指定することができる。これにより、たとえば、読取部１１により読み取られる原稿自体に軽微な誤記などがあった場合には、その誤記の部分にマークを施し、そのマークが施された原稿を読取部１１により読み取らせることによって、プレビュー表示画面において、マークと対応する領域を編集することにより、誤記を修正した印刷物を得ることができる。
【０１１０】
また、本実施の形態では、編集画面Ｅ１において、ソフトウェアキーボード４１を用いてマークと対応する領域に文字を入力することができるので、誤記などを修正することができる。
【０１１１】
また、本実施の形態では、定型入力画面Ｅ２において、マークと対応する領域に定型句を入力することができるので、マークと対応する領域への文字の入力を簡略化することができる。
【０１１２】
また、本実施の形態では、書式設定画面Ｅ３において、マークと対応する領域に入力される文字などの書式を設定することができる。
【０１１３】
また、本実施の形態では、位置設定画面Ｅ４の項目４５ａおよび４５ｂを設定することにより、マークと対応する領域に対する入力された文字などの横方向および縦方向における配置を設定することができる。
【０１１４】
また、本実施の形態では、位置設定画面Ｅ４の項目４５ｃおよび４５ｄを設定することにより、項目４５ａおよび４５ｂの設定に応じて配置された文字などの横方向および縦方向の位置を調整することができる。
【０１１５】
また、本実施の形態では、設定画面Ｅ５に項目４６ａを設けることによって、マークと対応する領域の元画像（背景）を消去するか否かを容易に設定することができる。
【０１１６】
また、本実施の形態では、設定画面Ｅ５に項目４６ｂを設けることによって、マークと対応する領域に入力される文字列がその領域の範囲（横幅）を越えてしまう場合に、入力される文字列を改行するか否かを容易に設定することができる。
【０１１７】
また、本実施の形態では、設定画面Ｅ５に項目４６ｃを設けることによって、入力された内容をマークが施された原稿のみに適用するか、入力された内容を全ての原稿に適用するかを容易に設定することができる。そして、入力された内容を全ての原稿に適用すれば、１枚の原稿にマークを施すことにより、複数の原稿に対して編集することができる。
【０１１８】
また、本実施の形態では、原稿に複数のマークが施されている場合に、プレビュー表示画面において、複数のマークにそれぞれ対応する複数の領域を編集することができる。
【０１１９】
なお、今回開示した実施の形態は、すべての点で例示であって、限定的な解釈の根拠となるものではない。したがって、本発明の技術的範囲は、上記した実施の形態のみによって解釈されるものではなく、特許請求の範囲の記載に基づいて画定される。また、本発明の技術的範囲には、特許請求の範囲と均等の意味および範囲内でのすべての変更が含まれる。
【０１２０】
たとえば、本実施の形態では、原稿がコピーされる際に、読取部１１により読み取られた原稿のプレビュー表示画面において、原稿に施されたマークと対応する領域が編集される例を示したが、これに限らず、原稿がファクシミリされる際、または、原稿がファイリングされる際に、読取部１１により読み取られた原稿のプレビュー表示画面において、原稿に施されたマークと対応する領域が編集されるようにしてもよい。
【０１２１】
また、本実施の形態では、マークと対応する領域に文字が入力される例を示したが、これに限らず、マークと対応する領域に画像などが入力されるようにしてもよい。
【０１２２】
また、本実施の形態では、入力される文字列を改行するか否かを設定する項目４６ｂを設ける例を示したが、これに限らず、マークと対応する領域に文字が入力される際に、制御部２１により、入力される文字列がその領域の範囲（横幅）を越えてしまうと判断された場合に、改行を挿入するか否かを利用者に選択させる選択画面を表示制御部１７により表示するようにしてもよい。
【０１２３】
また、本実施の形態では、画像処理部１２により、原稿の画像データからマークを検出する例を示したが、これに限らず、読取部１１により、原稿に施されたマークを検出するようにしてもよい。
【符号の説明】
【０１２４】
１      複合機（画像処理装置）
１１    読取部
１４    画像形成部
１５ａ  表示部
５５    原稿
【図１】
2013055535.tif 000003
【図２】
2013055535.tif 000004
【図３】
2013055535.tif 000005
【図４Ａ】
2013055535.tif 000006
【図４Ｂ】
2013055535.tif 000007
【図５Ａ】
2013055535.tif 000008
【図５Ｂ】
2013055535.tif 000009
【図６Ａ】
2013055535.tif 000010
【図６Ｂ】
2013055535.tif 000011
【図７】
2013055535.tif 000012
【図８】
2013055535.tif 000013
【図９Ａ】
2013055535.tif 000014
【図９Ｂ】
2013055535.tif 000015
【図１０Ａ】
2013055535.tif 000016
【図１０Ｂ】
2013055535.tif 000017
【図１０Ｃ】
2013055535.tif 000018
【図１０Ｄ】
2013055535.tif 000019
【図１０Ｅ】
2013055535.tif 000020